(57)【要約】      （修正有）【課題】使用範囲が広く、かつ色彩を付するものであり、美的鑑賞体としても使用される照明灯を提供する。【解決手段】照明灯１００は３Ｄ像６を内蔵する透明体又は半透明体１とＬＥＤ４とそのコントロール部５とからなる。１００ｖ電源に連結することにより３Ｄ像を美的に、かつ明るく表示する。【選択図】図１
0003163347.tif 000002
【実用新案登録請求の範囲】
【請求項１】
内部画像を有する透明体又は半透明体（着色を含む）と、前記内部画像を照明するＬＥＤと、該ＬＥＤと１００ｖ電源との間に介在し前記ＬＥＤに見合う電圧を供給するＬＥＤ用電圧供給部とを有することを特徴とする照明灯。
【請求項２】
前記透明体又は半透明体と前記ＬＥＤと前記ＬＥＤ用電圧供給部とが一体的構造のものから形成されることを特徴とする請求項１に記載の照明灯。
【請求項３】
前記ＬＥＤが単一色又は多色のものからなることを特徴とする請求項１又は請求項２に記載の照明灯。
【請求項４】
前記透明体又は半透明体がプラスチック又はガラスからなることを特徴とする請求項１に記載の照明灯。
【請求項５】
前記透明体又は半透明体が球体又は立方体からなることを特徴とする請求項１又は４に記載の照明灯。
【請求項６】
前記請求項１乃至請求項４に記載の照明灯が複数個のものからなり直線状や放射状やマンダラ状に配置されることを特徴とする照明灯。
【請求項７】
前記内部画像が３Ｄ像からなることを特徴とする請求項１に記載の照明灯。
【考案の詳細な説明】
【技術分野】
【０００１】
本考案は、透明体又は半透明体の内部に画像を形成しＬＥＤ電源により前記画像を照明すると共に電球としても使用される照明灯に関する。
【背景技術】
【０００２】
照明灯や電球は各種のものが多数存在しているが、単なる照明灯等でなく内部画像を有し、これをＬＥＤにより照明すると共に照明灯や電球として使用されているものは少ない。特に、内部画像が任意の３Ｄ像からなり多色に表示され電球や配列に特種性があって飾りものとして適用されるものは見当らない。なお、比較的近似するＬＥＤ照明灯としては「特許文献１」がある。
【先行技術文献】
【特許文献】
【０００３】
【特許文献１】特開２００４−１６４８７９号（図１）
【考案の概要】
【考案が解決しようとする課題】
【０００４】
「特許文献１」の「特開２００４−１６４８７９号」の「内部に光輝描画像を有する照明灯」は照明灯であるが主に電球として使用されるものであり、各種形態の照明灯を形成するものではなく、かつ内部画像が色付きの３Ｄ像で形成されているものではない。
本考案は、前記のように電球としてのみ使用するものではなく広く照明灯として使用され、使用範囲が極めて広く、かつ色彩を付するものであり、美的観賞体としても使用される照明灯を提案することを目的とする。
【課題を解決するための手段】
【０００５】
本考案は、以上の目的を達成するために、請求項１の考案は、内部画像を有する透明体又は半透明体（着色を含む）と、前記内部画像を照明するＬＥＤと、該ＬＥＤと１００ｖ電源との間に介在し前記ＬＥＤに見合う電圧を供給するＬＥＤ用電圧供給部とを有することを特徴とする。
【０００６】
また、請求項２の考案は、前記透明体又は半透明体と前記ＬＥＤと前記ＬＥＤ用電圧供給部とが一体的構造のものから形成されることを特徴とする。
【０００７】
また、請求項３の考案は、前記ＬＥＤが単一色又は多色のものからなることを特徴とする。
【０００８】
また、請求項４の考案は、前記透明体又は半透明体がプラスチック又はガラスからなることを特徴とする。
【０００９】
また、請求項５の考案は、前記透明体又は半透明体が球体又は立方体からなることを特徴とする。
【００１０】
また、請求項６の考案は、前記請求項１乃至請求項４に記載の照明灯が複数個のものからなり直線状や放射状やマンダラ状に配置されることを特徴とする。
【００１１】
また、請求項７の考案は、前記内部画像が３Ｄ像からなることを特徴とする。
【考案の効果】
【００１２】
本考案の請求項１の照明灯によれば、１００ｖ電源に連結することによりＬＥＤにより全体が照明され、かつ色付の画像を表示することができ、広範囲に使用されると共に飾り物としても広く使用することができる。
【００１３】
本考案の請求項２の照明灯によれば、各構成要素が一体的にまとめられ、持ち運びや取付けも容易にでき小スペースでよく保管性も優れる効果を有する。
【００１４】
また、本考案の請求項３の照明灯によれば、ＬＥＤが単一色のみならず多色のものからなり、綺麗な照明を得ることがきる。
【００１５】
また、本考案の請求項４の照明灯によれば、母体がプラスチックやガラスからなり、製作が容易にできる。特にプラスチックの場合は射出成形等により容易に、かつ多量に製作することができる。
【００１６】
また、本考案の請求項５の照明灯によれば、透明体又は半透明体が球体のみならず各種の立方体からなり、多様の飾り物として使用される。
【００１７】
また、本考案の請求項６の照明灯によれば、単一形態のもののみならず多数個のものを任意の形態に配置することができ、用途の拡大と美的形態の拡大を図ることができる。
【００１８】
また、本考案の請求項７の照明灯によれば、内部画像が３Ｄ像からなり極めて綺麗な任意形態の立体像を形成することができる。
【図面の簡単な説明】
【００１９】
【図１】本考案の１つの実施例の全体構造を示す断面図。
【図２】ネジ込み式（ａ）、差込み式（ｂ）、天井用（ｃ）の３形態の外観構造を示す平面図。
【図３】放射状に像を配置した本考案の実施例を示す平面図。
【図４】マンダラ形態に像を配置した本考案の実施例を示す平面図。
【図５】透明体又は半透明体が球体のものからなり各種の場所に取り付けた状態を示す模式的平面図。
【図６】透明体又は半透明体が多角形状のものからなり、これ等を各種の場所に取り付けた場合の状態を示す模式的平面図。
【考案を実施するための形態】
【００２０】
以下、本考案の照明灯の実施の形態を図面を参照して詳述する。
【実施例１】
【００２１】
図１は透明体又は半透明体が球体からなり、球体の内部に任意の形態の立体像（３Ｄ像）を設けたものであり、球体や立体像として透明のものや色付きのものが形成されている実施例を示すものである。なお、このものはネジ込み式のものが表示されＬＥＤも単一のものが示されているが他の形態のものも含まれるものであり、ＬＥＤも複数や多色のものが適用されることは勿論である。
この照明灯１００は、図示のように球状の透明体又は半透明体１と、この下方を保持する保持部２と、保持部２に連設されるネジ込み部３と、保持部２の内部に配置されてネジ込み部３と連通するＬＥＤ４と、ＬＥＤ４のコントロール部５等とからなる。また、透明体又は半透明体１の内部には３Ｄ像６が配置される。なお、３Ｄ像は任意の形状のものからなり、例えば、レーザ加工によって形成される。また、コントロール部５としては１００ｖ電圧をＬＥＤ用の電圧（例えば、１２ｖ）に変える機構や多色のＬＥＤのコントロールをするための装置が含まれているが、その構造は公知のものであり詳細説明は省略する。
以上の構造の照明灯１００を電球等のネジ込み部にネジ込むことにより３Ｄ像６がＬＥＤ４により照射され綺麗な美しい像を表示することができる。勿論、ＬＥＤ４は電圧が低く使用されその寿命は極めて長く、かつ省電力に貢献することは勿論である。
【実施例２】
【００２２】
図２（ａ），（ｂ），（ｃ）は取り付け部の形態が異なる照明灯１００，１００Ａ，１００Ｂを示すものであり、図２（ａ）の照明灯１００は図１に示したネジ込み式のものであり、図２（ｂ）の照明灯１００Ａは差し込み式のものを示すものであり、図２（ｃ）は天井に係着して使用する形態のものを夫々示すものである。なお、これ等の照明灯１００，１００Ａ，１００Ｂの内部構造は図１に示したものとほぼ同一であり、重複説明は省略する。
【実施例３】
【００２３】
図３の照明灯１００Ｃは放射状（図示では３方向）に伸延する透明体又は半透明体１Ａの内部に３Ｄ像６を形成したものであり、透明体又は半透明体の先端に各種色彩の電源部（ＬＥＤを含む）を設けたものである。色彩としては、例えば、赤，緑，青等が一例として使用されているがこれ等に限定されるものではない。
【実施例４】
【００２４】
図４は電源部７を中央に持ち中央からマンダラ状に配置される球状体８を示すものであり、球状体８の内部には、例えば、各種の菩薩像や如来像を形成したものである。勿論、これ等の像に限定するものではなく、マンダラの形態も図示のものに限定するものではない。
【実施例５】
【００２５】
図５（ａ），（ｂ），（ｃ）は図１に示した照明灯１００を天井９，壁１０及びテーブル１１に配置したものである。
図５（ａ）は天井９に、図５（ｂ）は壁１０に、図５（ｃ）はテーブル１１に夫々配置したものを示す。なお、内部画像としては菩薩像が示されているが、勿論、任意のものでもよい。
【実施例６】
【００２６】
図６（ａ），（ｂ），（ｃ）は透明体又は半透明体１Ｂが角状のものからなる照明灯１００Ｄを天井９（図５（ａ）），壁１０（図５（ｂ）），テーブル１１（図５（ｃ））に設けたものである。
【００２７】
本考案は、以上の説明の内容からなるが、勿論、本考案は以上の説明内容のものに限定するものではなく、同一技術的範疇のものが適用されることは勿論である。
【産業上の利用可能性】
【００２８】
本考案は、各種の電球や照明に使用され、実用性のものに限らず飾り物としても適用され、その利用範囲は極めて広い。
【符号の説明】
【００２９】
１        透明体又は半透明体
１Ａ      透明体又は半透明体
１Ｂ      透明体又は半透明体
２        保持部
３        ネジ込み部
４        ＬＥＤ
５        コントロール部
６        ３Ｄ像
７        電源部
８        球状体
９        天井
１０      壁
１１      テーブル
１００    照明灯
１００Ａ  照明灯
１００Ｂ  照明灯
１００Ｃ  照明灯
１００Ｄ  照明灯
【図１】
0003163347.tif 000003
【図２】
0003163347.tif 000004
【図３】
0003163347.tif 000005
【図４】
0003163347.tif 000006
【図５】
0003163347.tif 000007
【図６】
0003163347.tif 000008
【手続補正書】
【提出日】平成22年6月13日(2010.6.13)
【手続補正１】
【補正対象書類名】実用新案登録請求の範囲
【補正対象項目名】全文
【補正方法】変更
【補正の内容】
【実用新案登録請求の範囲】
【請求項１】
内部画像を有する透明体又は半透明体と、前記内部画像を照明するＬＥＤと、該ＬＥＤと１００ｖ電源との間に介在し前記ＬＥＤに見合う電圧を供給するＬＥＤ用電圧供給部とを有することを特徴とする照明灯。
【請求項２】
前記透明体又は半透明体と前記ＬＥＤと前記ＬＥＤ用電圧供給部とが一体的構造のものから形成されることを特徴とする請求項１に記載の照明灯。
【請求項３】
前記ＬＥＤが単一色又は多色のものからなることを特徴とする請求項１又は請求項２のいずれかに記載の照明灯。
【請求項４】
前記透明体又は半透明体がプラスチック又はガラスからなることを特徴とする請求項１に記載の照明灯。
【請求項５】
前記透明体又は半透明体が球体又は立方体からなることを特徴とする請求項１又は４のいずれかに記載の照明灯。
【請求項６】
前記請求項１乃至請求項４に記載の照明灯が複数個のものからなり直線状や放射状やマンダラ状に配置されることを特徴とする照明灯。
【請求項７】
前記内部画像が３Ｄ像からなることを特徴とする請求項１に記載の照明灯。
【手続補正２】
【補正対象書類名】明細書
【補正対象項目名】０００５
【補正方法】変更
【補正の内容】
【０００５】
本考案は、以上の目的を達成するために、請求項１の考案は、内部画像を有する透明体又は半透明体と、前記内部画像を照明するＬＥＤと、該ＬＥＤと１００ｖ電源との間に介在し前記ＬＥＤに見合う電圧を供給するＬＥＤ用電圧供給部とを有することを特徴とする。